(57)【要約】【課題】変速再生時に、所定時間分のオーディオデータに異なる所定時間分のサンプルデータが混じることによる音質の劣化を抑制する。【解決手段】再生ヘッドは、各フィールドでテープ上を３回スキャンする。Ｃ１デコーダ１６２から供給される、エラー訂正できたシンクブロックをＳＤＲＡＭ１６３に書き込む。その場合、シンクブロックには、３回のスキャンのうちの何番目のスキャンによって再生されたかを示すスキャン番号が付加される。バッファ１６６Ａは、各フィールドについて、チャネル毎に、ＳＤＲＡＭ１６３の２個のＥＣＣブロックに対応したメモリ空間に記憶されているシンクブロックのうち、最も多くのシンクブロックが該当するスキャン番号に対応したシンクブロックを使用するシンクブロックとし、そのシンクブロックに含まれるオーディオデータのサンプルデータを、順に出力する。欠落したサンプルデータを補間回路１７０で補間する。【選択図】        図１５
2004310859.tif 000002
【特許請求の範囲】
【請求項１】
複数のサンプルデータからなるオーディオデータが所定時間分毎に分割され、各所定時間分のオーディオデータからそれぞれ複数のシンクブロックが生成され、各所定時間分のオーディオデータに対応した複数のシンクブロックが一本または複数本の傾斜トラックに記録されたテープ上を、再生ヘッドが上記所定時間毎にＮ回（Ｎは２以上の整数）スキャンし、各所定時間に上記再生ヘッドで再生されたシンクブロックに基づいてそれぞれ所定時間分のオーディオデータを得るデータ再生方法であって、
変速再生時には、上記各所定時間につき、上記再生ヘッドのＮ回のスキャンでそれぞれ再生された第１から第Ｎのスキャン番号に対応したシンクブロックのうち、最も多くのシンクブロックが該当するスキャン番号に対応したシンクブロックを使用すると共に、欠落したサンプルデータを少なくとも前または後の有効なサンプルデータを用いて補間し、所定時間分のオーディオデータを得る
ことを特徴とするデータ再生方法。
【請求項２】
上記所定時間分のオーディオデータは、一個または複数個の符号化単位に分割され、該分割された符号化単位毎に積符号を用いたエラー訂正符号化が行われ、
上記シンクブロックは、内符号演算データ系列を構成するオーディオデータまたは外符号パリティのデータ列に内符号パリティを付加してなる
ことを特徴とする請求項１に記載のデータ再生方法。
【請求項３】
上記シンクブロックには、複数個の所定時間分を周期として、各所定時間分を識別するセグメント番号が付加されており、
上記最も多くのシンクブロックが該当するスキャン番号に対応したシンクブロックを使用する代わりに、
最も多くのシンクブロックが該当するスキャン番号およびセグメント番号の組み合わせに対応したシンクブロックを使用する
ことを特徴とする請求項１に記載のデータ再生方法。
【請求項４】
上記シンクブロックには、複数個の所定時間分を周期として、各所定時間分を識別するセグメント番号が付加されており、
上記最も多くのシンクブロックが該当するスキャン番号に対応したシンクブロックを使用する代わりに、
上記変速再生時の上記所定時間内のＮ回のスキャンのうち最初と最後のスキャンにおける上記テープ上のスキャン位置の長手方向の間隔をＤａとし、上記複数個の所定時間分のシンクブロックが記録された複数本の傾斜トラックが占める上記テープ上の長手方向の距離をＤｂとするとき、Ｄａ＞Ｄｂである場合には、最も多くのシンクブロックが該当するスキャン番号およびセグメント番号の組み合わせに対応したシンクブロックを使用し、Ｄａ≦Ｄｂである場合には、最も多くのシンクブロックが該当するセグメント番号に対応したシンクブロックを使用する
ことを特徴とする請求項１に記載のデータ再生方法。
【請求項５】
複数のサンプルデータからなるオーディオデータが所定時間分毎に分割され、各所定時間分のオーディオデータからそれぞれ複数のシンクブロックが生成され、各所定時間分のオーディオデータに対応した複数のシンクブロックが一本または複数本の傾斜トラックに記録されたテープ上を、再生ヘッドが上記所定時間毎にＮ回（Ｎは２以上の整数）スキャンし、該再生ヘッドで再生されたシンクブロックをメモリの当該シンクブロックに対応するアドレス位置に書き込み、各所定時間に該メモリに書き込まれたシンクブロックに基づいてそれぞれ所定時間分のオーディオデータを得るデータ再生装置であって、
変速再生時に、上記再生ヘッドで再生されたシンクブロックに、上記所定時間内の何回目のスキャンで再生されたかを示すスキャン番号を付加して上記メモリに書き込むデータ書き込み手段と、
上記変速再生時に、上記メモリに書き込まれた複数のシンクブロックに基づいて上記所定時間分のオーディオデータを得る際に、上記メモリに書き込まれた複数のシンクブロックのうち、最も多くのシンクブロックが該当するスキャン番号に対応したシンクブロックを使用すると共に、欠落したサンプルデータを少なくとも前または後の有効なサンプルデータを用いて補間するデータ処理手段と
を備えることを特徴とするデータ再生装置。
【請求項６】
上記所定時間分のオーディオデータは、一個または複数個の符号化単位に分割され、該分割された符号化単位毎に積符号を用いたエラー訂正符号化が行われ、
上記シンクブロックは、内符号演算データ系列を構成するオーディオデータまたは外符号パリティのデータ列に内符号パリティを付加してなる
ことを特徴とする請求項５に記載のデータ再生装置。
【請求項７】
上記シンクブロックには、複数個の所定時間分を周期として、各所定時間分を識別するセグメント番号が付加されており、
上記データ処理手段は、
上記最も多くのシンクブロックが該当するスキャン番号に対応したシンクブロックを使用する代わりに、
最も多くのシンクブロックが該当するスキャン番号およびセグメント番号の組み合わせに対応したシンクブロックを使用する
ことを特徴とする請求項５に記載のデータ再生装置。
【請求項８】
上記シンクブロックには、複数個の所定時間分を周期として、各所定時間分を識別するセグメント番号が付加されており、
上記データ処理手段は、
上記最も多くのシンクブロックが該当するスキャン番号に対応したシンクブロックを使用する代わりに、
上記変速再生時の上記所定時間内のＮ回のスキャンのうち最初と最後のスキャンにおける上記テープ上のスキャン位置の長手方向の間隔をＤａとし、上記複数個の所定時間分のシンクブロックが記録された複数本の傾斜トラックが占める上記テープ上の長手方向の距離をＤｂとするとき、Ｄａ＞Ｄｂである場合には、最も多くのシンクブロックが該当するスキャン番号およびセグメント番号の組み合わせに対応したシンクブロックを使用し、Ｄａ≦Ｄｂである場合には、最も多くのシンクブロックが該当するセグメント番号に対応したシンクブロックを使用する
ことを特徴とする請求項５に記載のデータ再生装置。
【発明の詳細な説明】
【０００１】
【発明の属する技術分野】
この発明は、例えばデジタルビデオテープレコーダ等に適用して好適なデータ再生方法およびデータ再生装置に関する。
【０００２】
詳しくは、この発明は、各所定時間分のオーディオデータに対応した複数のシンクブロックが一本または複数本の傾斜トラックに記録されたテープ上を、再生ヘッドが所定時間毎にＮ回（Ｎは２以上の整数）スキャンし、各所定時間に再生されたシンクブロックに基づいてそれぞれ所定時間分のオーディオデータを得るものにあって、変速再生時には、各所定時間につき、再生ヘッドのＮ回のスキャンで再生されたシンクブロックのうち、例えば最も多くのシンクブロックが該当するスキャン番号等に対応したシンクブロックを使用すると共に、欠落したサンプルデータを少なくとも前または後の有効なサンプルデータを用いて補間し、所定時間分のオーディオデータを得ることによって、異なる所定時間分のサンプルデータが混じることによる音質の劣化を抑制するようにしたデータ再生方法およびデータ再生装置に係るものである。
【０００３】
【従来の技術】
従来、複数のサンプルデータからなるオーディオデータが所定時間分、例えば１フィールド分または１フレーム分毎に分割され、各所定時間分のオーディオデータからそれぞれ複数のシンクブロックが生成され、各所定時間分のオーディオデータに対応した複数のシンクブロックが一本または複数本の傾斜トラックに記録されたテープ上を、再生ヘッドが所定時間毎にＮ回（Ｎは２以上の整数）スキャンし、再生ヘッドで再生されたシンクブロックをメモリの当該シンクブロックに対応するアドレス位置に書き込み、各所定時間にこのメモリに書き込まれたシンクブロックに基づいてそれぞれ所定時間分のオーディオデータを得ることが知られている（例えば、特許文献１参照）。
【０００４】
【特許文献１】
特開平１１−１９６３７７号公報
【０００５】
【発明が解決しようとする課題】
上述した特許文献１のように、所定時間にメモリに書き込まれたシンクブロックをすべて使用して所定時間分のオーディオデータを得るものにおいては、所定時間分のオーディオデータに、異なる所定時間分のサンプルデータが混じることが多く、それによるノイズが発生し、音質が劣化したものとなる。
【０００６】
この発明の目的は、所定時間分のオーディオデータに異なる所定時間分のサンプルデータが混じることによる音質の劣化を抑制することにある。
【０００７】
【課題を解決するための手段】
この発明に係るデータ再生方法は、複数のサンプルデータからなるオーディオデータが所定時間分毎に分割され、各所定時間分のオーディオデータからそれぞれ複数のシンクブロックが生成され、各所定時間分のオーディオデータに対応した複数のシンクブロックが一本または複数本の傾斜トラックに記録されたテープ上を、再生ヘッドが所定時間毎にＮ回（Ｎは２以上の整数）スキャンし、各所定時間に再生ヘッドで再生されたシンクブロックに基づいてそれぞれ所定時間分のオーディオデータを得るデータ再生方法であって、変速再生時には、各所定時間につき、再生ヘッドのＮ回のスキャンでそれぞれ再生された第１から第Ｎのスキャン番号に対応したシンクブロックのうち、最も多くのシンクブロックが該当するスキャン番号に対応したシンクブロックを使用すると共に、欠落したサンプルデータを前後の有効なサンプルデータを用いて補間し、所定時間分のオーディオデータを得るものである。
【０００８】
また、この発明に係るデータ再生装置は、複数のサンプルデータからなるオーディオデータが所定時間分毎に分割され、各所定時間分のオーディオデータからそれぞれ複数のシンクブロックが生成され、各所定時間分のオーディオデータに対応した複数のシンクブロックが一本または複数本の傾斜トラックに記録されたテープ上を、再生ヘッドが所定時間毎にＮ回（Ｎは２以上の整数）スキャンし、再生ヘッドで再生されたシンクブロックをメモリの当該シンクブロックに対応するアドレス位置に書き込み、各所定時間にこのメモリに書き込まれたシンクブロックに基づいてそれぞれ所定時間分のオーディオデータを得るデータ再生装置であって、変速再生時に、再生ヘッドで再生されたシンクブロックに、所定時間内の何回目のスキャンで再生されたかを示すスキャン番号を付加してメモリに書き込むデータ書き込み手段と、変速再生時に、メモリに書き込まれた複数のシンクブロックに基づいて所定時間分のオーディオデータを得る際に、メモリに書き込まれた複数のシンクブロックのうち、最も多くのシンクブロックが該当するスキャン番号に対応したシンクブロックを使用すると共に、欠落したサンプルデータを前後の有効なサンプルデータを用いて補間するデータ処理手段とを備えるものである。
【０００９】
この発明においては、複数のサンプルデータからなるオーディオデータが所定時間分毎、例えば１フィールド分毎に分割され、各所定時間分のオーディオデータからそれぞれ複数のシンクブロックが生成され、各所定時間分のオーディオデータに対応した複数のシンクブロックが、テープ上の一本または複数本の傾斜トラックに記録されている。
【００１０】
例えば、所定時間分のオーディオデータは、一個または複数個の符号化単位に分割され、この分割された符号化単位毎に積符号を用いたエラー訂正符号化が行われる。そして、上述のシンクブロックは、内符号演算データ系列を構成するオーディオデータまたは外符号パリティのデータ列に内符号パリティを付加してなるものとされる。
【００１１】
再生時には、上述のテープ上を、再生ヘッドで、所定時間毎にＮ回（Ｎは２以上の整数）スキャンするようにされる。そして、各所定時間に再生ヘッドで再生されたシンクブロックに基づいてそれぞれ所定時間分のオーディオデータが得られる。例えば、再生ヘッドで再生されたシンクブロックがメモリの当該シンクブロックに対応するアドレス位置に書き込まれ、各所定時間に、このメモリに書き込まれたシンクブロックに基づいてそれぞれ所定時間分のオーディオデータが得られる。
【００１２】
例えば、再生された各シンクブロックには、当該シンクブロックが、所定時間分のシンクブロックが記録された一方または複数本の傾斜トラックのうちどの傾斜トラックに記録されていたかを識別するトラックＩＤと、当該シンクブロックが、その傾斜トラックに記録された複数のシンクブロックのうちどのシンクブロックかを識別するシンクブロックＩＤが記録されている。この場合、上述したメモリのアドレス位置は、これらトラックＩＤおよびシンクブロックＩＤに基づいて、決定される。
【００１３】
変速再生時には、各所定時間につき、再生ヘッドのＮ回のスキャンでそれぞれ再生された第１から第Ｎのスキャン番号に対応したシンクブロックのうち、最も多くのシンクブロックが該当するスキャン番号に対応したシンクブロックが使用されて、それぞれ所定時間分のオーディオデータを得るようにされる。例えば、変速再生時には、再生ヘッドで再生されたシンクブロックに、所定時間内の何回目のスキャンで再生されたかを示すスキャン番号が付加されてメモリに書き込まれる。そして、所定時間分のオーディオデータを得る際に、メモリに書き込まれた複数のシンクブロックのうち、最も多くのシンクブロックが該当するスキャン番号に対応したシンクブロックが使用される。
【００１４】
この場合、欠落したサンプルデータについては、少なくとも前または後の有効なサンプルデータを用いて補間される。例えば、直前の有効なサンプルデータをそのまま補間データとする。また例えば、前後の有効なサンプルデータを平均して補間データとする。
【００１５】
Ｎ回のスキャンで再生されたシンクブロックのすべてを使用する場合、所定時間分のオーディオデータには、異なる所定時間分のサンプルデータが混じる可能性が高くなる。上述したように、変速再生時に、各所定時間につき、再生ヘッドのＮ回のスキャンで再生されたシンクブロックのうち、最も多くのシンクブロックが該当するスキャン番号に対応したシンクブロックを使用することで、所定時間分のオーディオデータに異なる所定時間分のサンプルデータが混じる可能性を低くできる。これにより、変速再生時に、異なる所定時間分のサンプルデータが混じることによる、音質の劣化を抑制できる。
【００１６】
なお、シンクブロックに、複数個の所定時間分を周期として、各所定時間分を識別するセグメント番号が付加されている場合は、最も多くのシンクブロックが該当するスキャン番号に対応したシンクブロックを使用する代わりに、最も多くのシンクブロックが該当するスキャン番号およびセグメント番号の組み合わせに対応したシンクブロックを使用するようにしてもよい。この場合も、所定時間分のオーディオデータに異なる所定時間分のサンプルデータが混じる可能性を低くでき、音質の劣化を抑制できる。
【００１７】
この場合、最も多くのシンクブロックが該当するセグメント番号に対応したシンクブロックを使用することも考えられる。その場合、所定時間内のＮ回のスキャンのうち最初と最後のスキャンにおけるテープ上のスキャン位置の長手方向の間隔Ｄａが、複数個の所定時間分のシンクブロックが記録された複数本の傾斜トラックが占めるテープ上の長手方向の距離Ｄｂを越えるとき、各所定時間に再生されるシンクブロックで、同一のセグメント番号に該当するシンクブロックに、異なる所定時間分のシンクブロックが存在するおそれがある。上述したように、セグメント番号とスキャン番号の組み合わせで判断することで、使用するシンクブロックに異なる所定時間分のシンクブロックが存在する可能性を低くできる。
【００１８】
また、シンクブロックに、複数個の所定時間分を周期として、各所定時間分を識別するセグメント番号が付加されている場合は、最も多くのシンクブロックが該当するスキャン番号に対応したシンクブロックを使用する代わりに、Ｄａ＞Ｄｂである場合には、最も多くのシンクブロックが該当するスキャン番号およびセグメント番号の組み合わせに対応したシンクブロックを使用し、Ｄａ≦Ｄｂである場合には、最も多くのシンクブロックが該当するセグメント番号に対応したシンクブロックを使用するようにしてもよい。
【００１９】
Ｄａ≦Ｄｂである場合には、各所定時間に再生されるシンクブロックで、同一のセグメント番号に該当するシンクブロックに、異なる所定時間分のシンクブロックが存在するおそれはなく、セグメント番号のみで判断しても問題はない。この場合、使用できるシンクブロックの数を多くでき、補間すべきサンプルデータの個数を少なくでき、音質の向上を図ることができる。
【００２０】
【発明の実施の形態】
以下、図面を参照しながら、この発明の実施の形態について説明する。図１は、実施の形態としての記録再生装置１００の基本的構成を示している。
【００２１】
まず、記録系を説明する。入力端子１１１Ｖに入力されるデジタルのビデオデータＶｉｎはビデオ圧縮回路１１２に供給される。このビデオ圧縮回路１１２では、ビデオデータＶｉｎが例えば８×８画素の二次元ブロックに分割され、ＤＣＴ等のブロック符号化を用いたデータ圧縮処理が行われる。
【００２２】
ビデオ圧縮回路１１２より出力されるビデオデータ（圧縮符号化データ）ＶＤａは、ＥＣＣエンコーダ１１３に供給される。また、このＥＣＣエンコーダ１１３には、入力端子１１１Ａに入力されるデジタルのオーディオデータＡｉｎが供給される。なお、オーディオデータＡｉｎに関しては、１２チャネル分のオーディオデータを並行して入力可能とされている。
【００２３】
ＥＣＣエンコーダ１１３では、ビデオデータＶＤａに対して符号化単位毎に積符号を用いたエラー訂正符号化が行われると共に、オーディオデータＡｉｎに対して符号化単位毎に積符号を用いたエラー訂正符号化が行われる。このＥＣＣエンコーダ１１３より出力される記録データ（エラー訂正符号化データ）ＤＤｂは、記録アンプ１１４を介して記録ヘッドＨｒに供給され、磁気テープ１２０の傾斜トラックに順次記録される。
【００２４】
この場合、記録データＤＤｂはデジタル変調処理を経ることなく、ＮＲＺ（Ｎｏｎ−Ｒｅｔｕｒｎ−ｔｏ−Ｚｅｒｏ）の形式のままで記録される。しかし、記録データＤＤｂに対してデジタル変調処理を施した後に記録するようにしてもよい。
【００２５】
次に、再生系を説明する。磁気テープ１２０の傾斜トラックより再生ヘッドＨｐで再生された再生信号は再生アンプ１３１で増幅され、さらに等化回路１３２で波形等化された後に復号回路１３３に供給される。復号回路１３３では、波形等化後の再生信号に対して、例えばビタビアルゴリズムを利用した復号化の処理が行われ、上述した記録系のＥＣＣエンコーダ１１３から出力される記録データＤＤｂに対応した再生データＤＤｃが得られる。
【００２６】
復号回路１３３より出力される再生データＤＤｃはＥＣＣデコーダ１３４に供給される。このＥＣＣデコーダ１３４では、ビデオデータおよびオーディオデータのそれぞれについて、再生データＤＤｃに付加されているパリティ（Ｃ１パリティ、Ｃ２パリティ）を用いてエラー訂正が行われる。
【００２７】
ＥＣＣデコーダ１３４より出力されるエラー訂正後のビデオデータ（圧縮符号化データ）ＶＤｄはビデオ伸長回路１３５に供給される。このビデオ伸長回路１３５では、記録系のビデオ圧縮回路１１２とは逆の処理によってデータ伸長が行われる。そして、このビデオ伸長回路１３５より出力されるビデオデータＶｏｕｔは出力端子１３６Ｖに出力される。また、ＥＣＣデコーダ１３４より出力されるエラー訂正後のオーディオデータＡｏｕｔは出力端子１３６Ａに出力される。
【００２８】
図２は、磁気テープ１２０の記録フォーマットを示している。磁気テープ１２０には、その長手方向に対して傾斜したトラックＴが順次形成される。この場合、互いに隣接する２本のトラックＴにおける記録アジマスは異なるようにされる。
【００２９】
トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、上述したＥＣＣエンコーダ１１３より出力される、記録データＤＤｂを構成するビデオデータに係るシンクブロックが記録される。
【００３０】
また、トラックＴのビデオ領域ＡＲＶＬ，ＡＲＶＵに挟まれた領域は、オーディオデータ領域ＡＲＡに割り当てられている。このオーディオデータ領域ＡＲＡには、上述したＥＣＣエンコーダ１１３より出力される、記録データＤＤｂを構成するオーディオデータに係るシンクブロックが記録される。
【００３１】
図３は、図１に示す記録再生装置１００の回転ドラムの構成を示す略線図である。回転ドラム１４０には、１８０度の巻き付け角度をもって、磁気テープ１２０が斜めに巻き付けられる。磁気テープ１２０は、回転ドラム１４０にこのように巻き付けられた状態で、所定速度で走行するようにされる。
【００３２】
また、回転ドラム１４０には、４個の記録ヘッドＲＥＣＡ〜ＲＥＣＤが配置されていると共に、これら４個の記録ヘッドＲＥＣＡ〜ＲＥＣＤに対して１８０度の角間隔をもって４個の記録ヘッドＲＥＣＥ〜ＲＥＣＨが配置されている。さらに、回転ドラム１４０には、記録ヘッドＲＥＣＡ〜ＲＥＣＨに対応する８個の再生ヘッドＰＢＡ〜ＰＢＨが、記録ヘッドＲＥＣＡ〜ＲＥＣＨに対してそれぞれ９０度の角間隔をもって配置されている。
【００３３】
図１に示す記録再生装置１００の記録ヘッドＨｒは、実際には、上述したように８個の記録ヘッドＲＥＣＡ〜ＲＥＣＨからなっている。また、図１に示す記録再生装置１００の再生ヘッドＨｐは、実際には、上述したように８個の再生ヘッドＰＢＡ〜ＰＢＨからなっている。１フィールド分のビデオデータおよびオーディオデータは、１２トラックに記録される。記録時および再生時には、１回のスキャン（走査）では４個のヘッドによって４トラックが同時に走査され、従って１２トラックは３回のスキャンで走査される。
【００３４】
１２トラックのビデオデータ領域ＡＲＶＬ，ＡＲＶＵには、図４に示すように、ブロック０〜ブロック３５までの、３６個のＥＣＣブロック（符号化単位のデータ）が記録される。１個のＥＣＣブロックは、以下のように構成されている。すなわち、２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ）が生成される。さらに、これらビデオデータおよびＣ２パリティに対して、矢印ａで示す内符号演算データ系列につき、各行のデータ（データ列）が例えば（２４２，２２６）リードソロモン符号によって符号化され、１６バイトのＣ１パリティが生成される。また、各々のデータ行の先頭には、それぞれ２バイトの大きさを有するシンクデータおよびＩＤが配される。
【００３５】
図５は、ＥＣＣブロック（ビデオデータ）における１シンクブロックの構成を示している。先頭の２バイトはシンクデータである。続く２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。
【００３６】
例えば、シンクブロックＩＤは、９ビットのデータとして構成される。この場合、１ビットで、走査開始端側のビデオデータ領域ＡＲＶＬに記録されるものか、走査終了端側のビデオデータ領域ＡＲＶＵに記録されるものかを表すものとされる。また、残りの８ビットで、領域ＡＲＶＬ，ＡＲＶＵのそれぞれに記録される１８９シンクブロックにそれぞれ対応して０〜１８８の数値が与えられる。
【００３７】
また、１２トラック毎に１セグメントが構成され、０〜３のセグメント番号が順次繰り返し付与されるが、上述の２バイトのＩＤには、当該１シンクブロックが記録されるセグメントのセグメント番号を示すセグメントＩＤも含まれる。
【００３８】
また、このＩＤに、２２６バイトのビデオデータ（またはＣ２パリティ）および１６バイトのＣ１パリティが続く。
【００３９】
上述したように、磁気テープ１２０の１２トラックに、３６個のＥＣＣブロック（図４参照）が記録される。図６は、１セグメントを構成する１２トラックのビデオデータ領域ＡＲＶＬ，ＡＲＶＵにおける各ＥＣＣブロックのシンクブロックの配置を示している。
【００４０】
図６Ａに示すように、１回目にスキャンされる０〜３の４トラックに関しては、ビデオデータ領域ＡＲＶＬには０〜３５のＥＣＣブロックにおける０Ｒｏｗ〜２０Ｒｏｗまでの２１Ｒｏｗのシンクブロックが記録され、ビデオデータ領域ＡＲＶＵには０〜３５のＥＣＣブロックにおける２１Ｒｏｗ〜４１Ｒｏｗまでの２１Ｒｏｗのシンクブロックが記録される。
【００４１】
また、２回目にスキャンされる４〜７の４トラックに関しては、ビデオデータ領域ＡＲＶＬには０〜３５のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００４２】
さらに、３回目にスキャンされる８〜１１の４トラックに関しては、ビデオデータ領域ＡＲＶＬには０〜３５のＥＣＣブロックにおける８４Ｒｏｗ〜１０４Ｒｏｗまでの２１Ｒｏｗのシンクブロックが記録され、ビデオデータ領域ＡＲＶＵには０〜３５のＥＣＣブロックにおける１０５Ｒｏｗ〜１２５Ｒｏｗまでの２１Ｒｏｗのシンクブロックが記録される。
【００４３】
ここで、０Ｒｏｗのシンクブロックは、０〜３５のＥＣＣブロックのそれぞれにおける０番目のシンクブロックからなっており、これら３６個のシンクブロックは、図６Ｂに示すように、０〜４のトラックに、９シンクブロックずつ振り分けられて記録される。つまり、０のトラックには０，１８，１，１９，２，２０，３，２１，４のＥＣＣブロックにおける０番目のシンクブロックが記録され、１のトラックには２２，５，２３，６，２４，７，２５，８，２６のＥＣＣブロックにおける０番目のシンクブロックが記録され、２のトラックには９，２７，１０，２８，１１，２９，１２，３０，１３のＥＣＣブロックにおける０番目のシンクブロックが記録され、さらに３のトラックには３１，１４，３２，１５，３３，１６，３４，１７，３５のＥＣＣブロックにおける０番目のシンクブロックが記録される。
【００４４】
以下、同様に、１〜１２５Ｒｏｗのシンクブロックは、それぞれ０〜３５のＥＣＣブロックにおける１〜１２５番目のシンクブロックからなっており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図６Ｃに示すように、２バイトのシンクデータ、２バイトのＩＤ、２２６バイトのビデオデータ（またはＣ２パリティ）および１６バイトのＣ１パリティからなっている。
【００４５】
ここで、０〜１１の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００４６】
つまり、本実施の形態においては、１２トラックに０〜３５の３６個のＥＣＣブロックを記録する際に、図７に示すように、最初は内符号演算データ系列を構成するビデオデータのデータ列にＣ１パリティが付加されてなる第１のシンクブロックが順次記録され、この第１のシンクブロックの記録が終了した後に、内符号演算データ系列を構成するＣ２パリティのデータ列にＣ１パリティが付加されてなる第２のシンクブロックが順次記録される。
【００４７】
１２トラックのオーディオデータ領域ＡＲＡには、図８に示すように、ブロック０〜ブロック２３までの、２４個のＥＣＣブロック（符号化単位のデータ）が記録される。１個のＥＣＣブロックは、以下のように構成されている。すなわち、１８９バイト×８バイトのデータ配列からなるオーディオデータに対して、矢印ｂで示す外符号演算データ系列につき、各列のデータ（データ列）が例えば（１６，８）リードソロモン符号によって符号化され、８バイトのＣ２パリティ（外符号パリティ）が生成される。さらに、これらオーディオデータおよびＣ２パリティに対して、矢印ａで示す内符号演算データ系列につき、各行のデータ（データ列）が例えば（２０５，１８９）リードソロモン符号によって符号化され、１６バイトのＣ１パリティが生成される。また、各々のデータ行の先頭には、それぞれ２バイトの大きさを有するシンクデータおよびＩＤが配される。
【００４８】
図９は、ＥＣＣブロック（オーディオデータ）における１シンクブロックの構成を示している。先頭の２バイトはシンクデータである。続く２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。
【００４９】
例えば、シンクブロックＩＤは、９ビットのデータとして構成される。この場合、１ビットで、オーディオデータ領域ＡＲＡの、走査開始端側である前半部に記録されたものか、走査終了端側である後半部に記録されたものかを表すものとされる。また、残りの８ビットで、前半部、後半部のそれぞれに記録される１６シンクブロックにそれぞれ対応して２２４〜２２７，２３２〜２３５，２４０〜２４３，２４８〜２５１の数値が与えられる。
【００５０】
また、１２トラック毎に１セグメントが構成され、０〜３のセグメント番号が順次繰り返し付与されるが、上述の２バイトのＩＤには、当該１シンクブロックが記録されるセグメントのセグメント番号を示すセグメントＩＤも含まれる。つまり、シンクブロックには、４フィールド分を周期として、各フィールド分を識別するセグメント番号が付加される。
また、このＩＤに、１８９バイトのビデオデータ（またはＣ２パリティ）および１６バイトのＣ１パリティが続く。
【００５１】
ここで、２個のＥＣＣブロックには１チャネルの１フィールド分のオーディオデータが含まれ、従って１２個のＥＣＣブロックには１２チャネルの１フィールド分のオーディオデータが含まれる。この場合、Ｎチャネル（Ｎ＝０〜１１）のオーディオデータは、ブロックＮおよびブロックＮ＋１２のＥＣＣブロックに含まれる。
【００５２】
図１０は、ブロックＮおよびブロックＮ＋１２のＥＣＣブロックに配される、１フィールド分のオーディオデータのサンプルデータを示している。本実施の形態においては、フレーム周波数が２３．９７Ｈｚで、オーディオデータのサンプリング周波数が４８ｋＨｚの場合を想定しており、１フィールド当たりのサンプルデータは、Ｓ０〜Ｓ１０００までの１００１個である。なお、１サンプルのデータは２４ビットからなっている。
【００５３】
ブロックＮのＥＣＣブロックには、Ｓ０，Ｓ２，Ｓ４，・・・，Ｓ１０００の偶数番目のサンプルデータが、矢印ｂで示す外符号演算データ系列にそって連続するように配される。一方、ブロックＮ＋１２のＥＣＣブロックには、Ｓ１，Ｓ３，Ｓ５，・・・，Ｓ９９９の奇数番目のサンプルデータが、矢印ｂで示す外符号演算データ系列にそって連続するように配される。なお、データ０−０〜データ５−２は、フォーマットやタイムコード等の補助データ（ａｕｘｉｌｉｒｙ  ｄａｔａ）を示している。
【００５４】
上述したように、磁気テープ１２０の１２トラックに、２４個のＥＣＣブロック（図８参照）が記録される。図１１は、１セグメントを構成する１２トラックのオーディオデータ領域ＡＲＡにおける各ＥＣＣブロックのシンクブロックの配置を示している。
【００５５】
図１１Ａに示すように、１回目にスキャンされる０〜３の４トラックにおけるオーディオデータ領域ＡＲＡにはＡ１〜Ａ８までの８個の記録部が存在し、２回目にスキャンされる４〜７の４トラックにおけるオーディオデータ領域ＡＲＡにはＡ９〜Ａ１２，Ａ１〜Ａ４までの８個の記録部が存在し、さらに３回目にスキャンされる８〜１１の４トラックにおけるオーディオデータ領域ＡＲＡにはＡ５〜Ａ１２までの８個の記録部が存在する。
【００５６】
図１１Ｂに示すように、記録部Ａ１〜Ａ１２には、それぞれ０〜１１チャネルのオーディオデータが含まれるＥＣＣブロックのシンクブロックが記録される。つまり、Ｎチャネル（Ｎ＝０〜１１）のオーディオデータが含まれるＮおよびＮ＋１２のＥＣＣブロックのシンクブロックは、それぞれ、２個の記録部Ａ（Ｎ＋１）に割り振られて記録される。
【００５７】
図１１Ｂにおいて、ｘ−ｙＦは、ｘおよびｙのＥＣＣブロックにおける前半のシンクブロックが記録されることを示し、ｘ−ｙＢは、ｘおよびｙのＥＣＣブロックにおける後半のシンクブロックが記録されることを示している。この場合、前半のシンクブロックには、ｘのＥＣＣブロックの０〜７番目のシンクブロックおよびｙのＥＣＣブロックの８〜１５番目のシンクブロックが含まれ、後半のシンクブロックには、ｘのＥＣＣブロックの８〜１５番目のシンクブロックおよびｙのＥＣＣブロックの０〜７番目のシンクブロックが含まれる。
【００５８】
例えば、０〜３の４トラックにおける記録部Ａ１には、０チャネルのオーディオデータが含まれる０および１２のＥＣＣブロックにおける前半の１６個のシンクブロックが記録され、４〜７の４トラックにおける記録部Ａ１には、０チャネルのオーディオデータが含まれる０および１２のＥＣＣブロックにおける後半の１６個のシンクブロックが記録される。
【００５９】
なお、１シンクブロックは、図１１Ｃに示すように、２バイトのシンクデータ、２バイトのＩＤ、１８９バイトのオーディオデータ（またはＣ２パリティ）および１６バイトのＣ１パリティからなっている。
【００６０】
次に、図１に示す記録再生装置１００におけるＥＣＣエンコーダ１１３の詳細を説明する。図１２は、ＥＣＣエンコーダ１１３の構成を示している。
【００６１】
このＥＣＣエンコーダ１１３は、ＳＤＲＡＭ（Ｓｙｎｃｈｒｏｎｏｕｓ  Ｄｙｎａｍｉｃ  ＲＡＭ）１５１と、このＳＤＲＡＭ１５１に対する書き込みおよび読み出しを行うためのインタフェースであるＳＤＲＡＭインタフェース１５２とを有している。ＳＤＲＡＭ１５１は、複数フィールド、例えば６フィールドのビデオデータおよびオーディオデータを記憶し得る容量を持っている。
【００６２】
この場合、ＳＤＲＡＭ１５１には、ビデオデータに関しては、各フィールドについて、３６個のＥＣＣブロック（図４参照）に対応したメモリ空間が用意されている。また、このＳＤＲＡＭ１５１には、オーディオデータに関しては、各フィールドについて、２４個のＥＣＣブロック（図８参照）に対応したメモリ空間が用意されている。
【００６３】
また、ＥＣＣエンコーダ１１３は、ビデオ圧縮回路１１２（図１参照）から供給されるビデオデータ（圧縮符号化データ）ＶＤａをＳＤＲＡＭ１５１に書き込むためのバッファとなるビデオ入力書き込みバッファ１５３Ｖを有している。ここで、バッファ１５３Ｖは、パッキング手段も構成しており、ビデオ圧縮回路１１２から供給されるビデオデータ（圧縮符号化データ）ＶＤａをシンクブロックにパッキングする。
【００６４】
上述したようにビデオ圧縮回路１１２では、ビデオデータＶｉｎが例えば８×８画素の二次元ブロックに分割され、ＤＣＴ等のブロック符号化を用いたデータ圧縮処理が行われる。上述せずも、有効画面は、１９２０画素×１０８８ラインで構成される。入力書き込みバッファ１５３Ｖでは、図１３に示すように、１６×１６画素のマクロブロック（８×８画素のＤＣＴブロックが４個で構成される）の圧縮符号化データ毎に、２個のシンクブロックＳｄ，Ｓｈにパッキングされる。
【００６５】
ここで、シンクブロックＳｄは、第１のシンクブロックを構成しており、変速再生時に単独で再生したとき、使用できるシンクブロックである。このシンクブロックＳｄには、ＤＣ係数を含む低域周波数領域の係数がパッキングされる。また、シンクブロックＳｈは、第２のシンクブロックを構成しており、変速再生時に単独で再生したとき、使用できないシンクブロックである。このシンクブロックＳｈには、シンクブロックＳｄにパッキングされる係数を除く、高域周波数領域の係数がパッキングされる。
【００６６】
ＳＤＲＡＭ１５１には、各マクロブロックの圧縮符号化データがパッキングされたシンクブロックＳｄ，Ｓｈが、各フィールドにつき、３６個のＥＣＣブロックに対応したメモリ空間に順次書き込まれる。図６に示すように、３６個のＥＣＣブロックの各シンクブロックがシャフリングされて傾斜トラックに記録される。各マクロブロックの圧縮符号化データがパッキングされたシンクブロックＳｄ，ＳｈをＳＤＲＡＭ１５１の３６個のＥＣＣブロックに対応したメモリ空間に書き込む際に、図１４に示すように、同一のマクロブロックに係るシンクブロックＳｄ，Ｓｈが連続して記録されるように、ＳＤＲＡＭ１５１における書き込みアドレスが制御される。なお、図１４において、矢印ＳＣＮは、変速再生時における、再生ヘッドの走査軌跡の一例を示している。
【００６７】
つまり、３６個のＥＣＣブロックの各シンクブロックが図６Ｂに示すように記録される場合、０，１８のＥＣＣブロックの０番目のシンクブロック、１，１９のＥＣＣブロックの０番目のシンクブロック、２，２０のＥＣＣブロックの０番目のシンクブロック、・・・に対応したメモリ空間には、それぞれ同一のマクロブロックに係るシンクブロックＳｄ，Ｓｈが書き込まれる。
【００６８】
図１２に戻って、また、ＥＣＣエンコーダ１１３は、各フィールドについて、ＳＤＲＡＭ１５１から読み出される、ビデオデータに係る３６個のＥＣＣブロックに対応したビデオデータを後述するビデオＣ２エンコーダ１５５Ｖに供給するためのバッファとなるビデオＣ２読み出しバッファ１５４Ｖと、各フィールドについて、ビデオデータに係る３６個のＥＣＣブロックにおけるＣ２パリティ（外符号パリティ）を演算するビデオＣ２エンコーダ１５５Ｖとを有している。
【００６９】
この場合、Ｃ２エンコーダ１５５Ｖは、Ｃ２パリティを演算する演算器を例えば３６個有しており、上述した３６個のＥＣＣブロックにおけるＣ２パリティを並行して演算できる。そのため、バッファ１５４ＶからＣ２エンコーダ１５５Ｖには、３６個のＥＣＣブロックに対応したビデオデータが並行して供給される。
【００７０】
また、ＥＣＣエンコーダ１１３は、各フィールドについて、Ｃ２エンコーダ１５５Ｖで演算された３６個のＥＣＣブロックにおけるＣ２パリティをＳＤＲＡＭ１５１に書き込むためのバッファとなるビデオＣ２書き込みバッファ１５６Ｖを有している。
【００７１】
また、ＥＣＣエンコーダ１１３は、入力端子１１１Ａ（図１参照）に入力されるオーディオデータＡｉｎを後述するオーディオＣ２エンコーダ１５５Ａに供給するためのオーディオ入力バッファ１５３Ａと、各フィールドについて、オーディオデータに係る２４個のＥＣＣブロックにおけるＣ２パリティ（外符号パリティ）を演算するオーディオＣ２エンコーダ１５５Ａとを有している。
【００７２】
また、ＥＣＣエンコーダ１１３は、各フィールドについて、オーディオデータＡｉｎおよびＣ２エンコーダ１５５Ａで演算されたＣ２パリティをＳＤＲＡＭ１５１に書き込むためのバッファとなるオーディオＣ２書き込みバッファ１５６Ａを有している。ＳＤＲＡＭ１５１には、それぞれのチャネルのオーディオデータＡｉｎおよびＣ２パリティが、各フィールドにつき、２個のＥＣＣブロックに対応したメモリ空間に順次書き込まれる。
【００７３】
また、ＥＣＣエンコーダ１１３は、各フィールドについて、ＳＤＲＡＭ１５１から読み出される、ビデオデータに係る３６個のＥＣＣブロックに対応したビデオデータおよびＣ２パリティ、並びにオーディオデータに係る２４個のＥＣＣブロックに対応したオーディオデータおよびＣ２パリティを出力するためのバッファとなる出力バッファ１５７を有している。
【００７４】
また、ＥＣＣエンコーダ１１３は、出力バッファ１５７から記録順に出力されるビデオデータまたはオーディオデータに係る各シンクブロックのデータ列に、シンクデータおよびＩＤを付加するＳＹＮＣ・ＩＤ付加回路１５８と、このＳＹＮＣ・ＩＤ付加回路１５８でシンクデータおよびＩＤが付加された各シンクブロックのビデオデータに対してＣ１パリティを演算して付加し、記録データＤＤｂとして出力するＣ１エンコーダ１５９とを有している。この場合、Ｃ１エンコーダ１５９は、ビデオとオーディオで兼用されており、シンクブロックの最初で符号長などのパラメータが設定されて使用される。
【００７５】
図１２に示すＥＣＣエンコーダ１１３の動作を説明する。
ビデオ圧縮回路１１２（図１参照）より供給されるビデオデータ（圧縮符号化データ）ＶＤａは、ビデオ入力書き込みバッファ１５３ＶおよびＳＤＲＡＭインタフェース１５２を介してＳＤＲＡＭ１５１に書き込まれる。この場合、１６×１６画素のマクロブロックの圧縮符号化データ毎に、２個のシンクブロックＳｄ，Ｓｈにパッキングされ、これらシンクブロックＳｄ，Ｓｈが、各フィールドにつき、３６個のＥＣＣブロックに対応したメモリ空間に順次書き込まれる。
【００７６】
この場合、同一のマクロブロックに係るシンクブロックＳｄ，Ｓｈが傾斜トラックに連続して記録されるように（図１４参照）、ＳＤＲＡＭ１５１における書き込みアドレスが制御される。ここで、シンクブロックＳｄは、変速再生時に単独で再生したとき使用できる第１のシンクブロックを構成している。このシンクブロックＳｄには、ＤＣ係数を含む低域周波数領域の係数がパッキングされる。また、シンクブロックＳｈは、変速再生時に単独で再生したとき使用できない第２のシンクブロックを構成している。このシンクブロックＳｈには、シンクブロックＳｄにパッキングされる係数を除く、高域周波数領域の係数がパッキングされる。
【００７７】
また、各フィールドについて、ＳＤＲＡＭ１５１から読み出されるビデオデータに係る３６個のＥＣＣブロックに対応したビデオデータは、ＳＤＲＡＭインタフェース１５２およびビデオＣ２読み出しバッファ１５４Ｖを介してビデオＣ２エンコーダ１５５Ｖに供給される。この場合、バッファ１５４ＶからＣ２エンコーダ１５５Ｖには、３６個のＥＣＣブロックに対応したビデオデータが並行して供給される。
【００７８】
Ｃ２エンコーダ１５５Ｖでは、各フィールドについて、３６個の演算器によって、３６個のＥＣＣブロックにおけるＣ２パリティが並行して演算される。このように各フィールドについて、Ｃ２エンコーダ１５５Ｖで演算される、３６個のＥＣＣブロックにおけるＣ２パリティは、ビデオＣ２書き込みバッファ１５６ＶおよびＳＤＲＡＭインタフェース１５２を介して、ＳＤＲＡＭ１５１の、対応する３６個のＥＣＣブロックのメモリ空間におけるＣ２パリティ領域に書き込まれる。
【００７９】
また、入力端子１１１Ａ（図１参照）より供給されるオーディオデータＡｉｎは、オーディオ入力バッファ１５３Ａを介してオーディオＣ２エンコーダ１５５Ａに供給される。Ｃ２エンコーダ１５５Ａでは、各フィールドについて、２４個のＥＣＣブロックにおけるＣ２パリティが演算される。
【００８０】
各フィールドについて、Ｃ２エンコーダ１５５Ａで演算される２４個のＥＣＣブロックにおけるＣ２パリティおよびオーディオデータＡｉｎは、オーディオＣ２書き込みバッファ１５６ＡおよびＳＤＲＡＭインタフェース１５２を介して、ＳＤＲＡＭ１５１の、対応する２４個のＥＣＣブロックのメモリ空間に書き込まれる。
【００８１】
また、各フィールドについて、ＳＤＲＡＭ１５１から読み出される、ビデオデータに係る３６個のＥＣＣブロックに対応したビデオデータおよびＣ２パリティ、並びにオーディオデータに係る２４個のＥＣＣブロックに対応したオーディオデータおよびＣ２パリティは、ＳＤＲＡＭインタフェース１５２を介して出力バッファ１５７に供給される。この出力バッファ１５７から記録順に出力されるビデオデータまたはオーディオデータに係る各シンクブロックは、ＳＹＮＣ・ＩＤ付加回路１５８でシンクデータおよびＩＤが付加された後に、Ｃ１エンコーダ１５９に供給される。
【００８２】
Ｃ１エンコーダ１５９では、シンクデータおよびＩＤが付加された各シンクブロックのビデオデータに対してＣ１パリティが演算されて付加され、記録データＤＤｂとしての各シンクブロックが生成される。この記録データＤｂは、上述したように記録アンプ１１４（図１参照）に供給される。
【００８３】
次に、図１に示す記録再生装置１００におけるＥＣＣデコーダ１３４の詳細を説明する。図１５は、ＥＣＣデコーダ１３４の構成を示している。
【００８４】
このＥＣＣデコーダ１３４は、復号回路１３３（図１参照）から供給される再生データＤＤｃを構成する各シンクブロックのシンクデータを検出するＳＹＮＣ検出回路１６１と、このＳＹＮＣ検出回路１６１を通じて供給される各シンクブロック毎にＣ１パリティを用いてエラー訂正処理を行うＣ１デコーダ１６２とを有している。この場合、Ｃ１デコーダ１６２は、ビデオとオーディオで兼用されており、シンクブロックの最初で符号長などのパラメータが設定されて使用される。
【００８５】
Ｃ１デコーダ１６２からは、エラー訂正処理後のビデオデータ列またはオーディオデータ列に、エラー訂正ができたか否かを示すエラー訂正フラグおよびＩＤが付加された状態で、各シンクブロックが出力される。エラー訂正フラグは、シンクデータの部分に挿入される。この場合、エラー訂正フラグが、エラー訂正ができたことを示す状態にある場合、そのエラー訂正フラグが付加されているデータ列にはエラーは含まれておらず、一方エラー訂正フラグが、エラー訂正ができなかったことを示す状態にある場合、そのエラー訂正フラグが付加されているデータ列にはエラーが含まれている。
【００８６】
また、ＥＣＣデコーダ１３４は、ＳＤＲＡＭ１６３と、このＳＤＲＡＭ１６３に対する書き込みおよび読み出しを行うためのインタフェースであるＳＤＲＡＭインタフェース１６４とを有している。ＳＤＲＡＭ１６３は、複数フィールド、例えば６フィールドのビデオデータおよびオーディオデータを記憶し得る容量を持っている。
【００８７】
この場合、ＳＤＲＡＭ１６３には、ビデオデータに関しては、各フィールドについて、３６個のＥＣＣブロック（図４参照）に対応したメモリ空間が用意されている。また、このＳＤＲＡＭ１６３には、オーディオデータに関しては、各フィールドについて、２４個のＥＣＣブロック（図８参照）に対応したメモリ空間が用意されている。
【００８８】
また、ＥＣＣデコーダ１３４は、Ｃ１デコーダ１６２から供給される各シンクブロックをＳＤＲＡＭ１６３に書き込むためのバッファとなる入力書き込みバッファ１６５を有している。
【００８９】
ここで、入力書き込みバッファ１６５は、通常再生時には、後述するように、Ｃ２デコーダによってＣ２パリティを用いたエラー訂正処理が行われることから、付加されているエラー訂正フラグの状態によらず、全てのシンクブロックをＳＤＲＡＭ１６３に書き込む。
【００９０】
この場合、ビデオデータに係る各シンクブロックは、それに付加されているトラックＩＤおよびシンクブロックＩＤに基づいて、各フィールドにつき、３６個のＥＣＣブロックに対応したメモリ空間の所定アドレス位置に書き込まれる。これにより、ＳＤＲＡＭ１６３には、各フィールドにつき、それぞれ記録時と同様の１２６個のシンクブロックからなる、３６個のＥＣＣブロックが生成される。
【００９１】
またこの場合、オーディオデータに係る各シンクブロックは、それに付加されているトラックＩＤおよびシンクブロックＩＤに基づいて、各フィールドにつき、２４個のＥＣＣブロックに対応したメモリ空間の所定アドレス位置に書き込まれる。これにより、ＳＤＲＡＭ１６３には、各フィールドにつき、それぞれ記録時と同様の１６個のシンクブロックからなる、２４個のＥＣＣブロックが生成される。
【００９２】
また、入力書き込みバッファ１６５は、磁気テープ１２０の走行速度を通常再生時より速くあるいは遅くして再生を行う変速再生時において、ビデオデータに関しては、Ｃ１デコーダ１６２から供給されるシンクブロックのうち、以下の選択処理で選択されたシンクブロックのみ、ＳＤＲＡＭ１６３に書き込む。この場合も、各シンクブロックは、それに付加されているトラックＩＤおよびシンクブロックＩＤに基づいて、３６個のＥＣＣブロックに対応したメモリ空間の所定アドレス位置に書き込まれる。この場合、各フィールドにおいて同一のメモリ空間に書き込みが行われ、記憶データが順次更新されていく。
【００９３】
図１６のフローチャートは、選択処理の手順を示している。
ステップＳＴ１で処理を開始し、ステップＳＴ２で、再生されたシンクブロックが、シンクブロックＳｄ、Ｓｈのいずれかかを判定する。この判定は、シンクブロックＩＤに基づいて行われる。シンクブロックＳｄであると判定するときは、ステップＳＴ３で、当該シンクブロックがＣ１パリティによってエラー訂正できたものであるか否かを判定する。この判定は、エラー訂正フラグに基づいて行われる。
【００９４】
エラー訂正できたものであるときは、ステップＳＴ４で、当該シンクブロックを書き込みシンクブロックとして選択し、ステップＳＴ５で処理を終了する。一方、エラー訂正できたものでないときは、ステップＳＴ６で、当該シンクブロックを書き込みシンクブロックとして選択しないこととし、ステップＳＴ５で処理を終了する。
【００９５】
上述のステップＳＴ２でシンクブロックＳｈであると判定するときは、ステップＳＴ７で、直前に再生されたシンクブロックＳｄが、エラー訂正できて書き込みシンクブロックとして選択されたか否かを判定する。書き込みシンクブロックとして選択されたときは、ステップＳＴ８で、当該シンクブロックが、直前に再生されたシンクブロックＳｄと同一のマクロブロックに係るものであるか否かを判定する。この判定はトラックＩＤおよびシンクブロックＩＤに基づいて行われる。
【００９６】
すなわち、当該シンクブロックにおけるトラックＩＤが直前に再生されたシンクブロックＳｄにおけるトラックＩＤと同一であり、かつ当該シンクブロックにおけるシンクブロックＩＤが直前に再生されたシンクブロックＳｄにおけるシンクブロックＩＤに連続したものであるとき、当該シンクブロックは、直前に再生されたシンクブロックＳｄと同一のマクロブロックに係るものであると判定する。
【００９７】
ステップＳＴ８で同一のマクロブロックに係るものであると判定するときは、ステップＳＴ９で、当該シンクブロックがＣ１パリティによってエラー訂正できたものであるか否かを判定する。この判定は、エラー訂正フラグに基づいて行われる。
【００９８】
エラー訂正できたものであるときは、ステップＳＴ４で、当該シンクブロックを書き込みシンクブロックとして選択し、ステップＳＴ５で処理を終了する。ステップＳＴ７で直前に再生されたシンクブロックＳｄが書き込みブロックとして選択されなかったとき、ステップＳＴ８で当該シンクブロックが直前に再生されたシンクブロックＳｄと同一のマクロブロックに係るものでないとき、およびステップＳＴ９で当該シンクブロックがエラー訂正できたものでないときは、ステップＳＴ６で、当該シンクブロックを書き込みシンクブロックとして選択しないこととし、ステップＳＴ５で処理を終了する。
【００９９】
また、入力書き込みバッファ１６５は、シンクブロックＳｄをＳＤＲＡＭ１６３に書き込む際に、このシンクブロックＳｄと同一のマクロブロックに係るシンクブロックＳｈを書き込むことができないとき、当該シンクブロックＳｄに後シンクエラーフラグを付加してＳＤＲＡＭ１６３に書き込む。この状況は、再生されたシンクブロックＳｄが書き込みシンクブロックとして選択されるが、その直後に再生されたシンクブロックＳｈが、当該シンクブロックＳｄと同一のマクロブロックに係るものでないか、あるいはエラー訂正できたものでなく、書き込みシンクブロックとして選択されなかった場合に、発生する。
【０１００】
このようにシンクブロックＳｄに後シンクエラーフラグを付加してＳＤＲＡＭ１６３に書き込むのは、ＳＤＲＡＭ１６３に記憶されている当該シンクブロックＳｄとペアになるべきシンクブロックＳｈは、当該シンクブロックＳｄと同一のマクロブロックに係るものではなく、例えば後段のビデオ伸長回路１３５で、そのシンクブロックＳｈに含まれる圧縮符号化データの使用を防止可能とするためである。
【０１０１】
また、入力書き込みバッファ１６５は、変速再生時において、オーディオデータに関しては、Ｃ１パリティによってエラー訂正できたものであるとき、当該シンクブロックをＳＤＲＡＭ１６３に書き込む。本実施の形態においては、所定時間である１フィールドの間に、再生ヘッドＨｒは、磁気テープ１２０上を３回スキャンする。ＳＤＲＡＭ１６３に書き込まれるオーディオデータに係るシンクブロックには、当該シンクブロックが上述の３回のスキャンのうちの何番目のスキャンによって再生されたものであるかを示すスキャン番号が付加される。
【０１０２】
この場合も、各シンクブロックは、それに付加されているトラックＩＤおよびシンクブロックＩＤに基づいて、２４個のＥＣＣブロックに対応したメモリ空間の所定アドレス位置に書き込まれる。この場合、各フィールドにおいて、異なるメモリ空間に書き込みが行われ、また使用後のフィールドのメモリ空間はクリアされる。これにより、所定フィールドで再生されるシンクブロックが書き込まれる、２４個のＥＣＣブロックに対応したメモリ空間には、当該所定フィールドで再生されるシンクブロックのみが書き込まれることとなる。
【０１０３】
図１５に戻って、また、ＥＣＣデコーダ１３４は、各フィールドについて、ＳＤＲＡＭ１６３から読み出される、ビデオデータに係る３６個のＥＣＣブロックにおける各シンクブロックのデータを、後述するビデオＣ２デコーダ１６７Ｖに供給するためのバッファとなるビデオＣ２読み出しバッファ１６６Ｖと、各フィールドについて、３６個のＥＣＣブロックにおいてＣ２パリティを用いてエラー訂正処理を行うビデオＣ２デコーダ１６７Ｖと、各フィールドについて、Ｃ２デコーダ１６７Ｖで訂正された３６個のＥＣＣブロックにおけるビデオデータ（圧縮符号化データ）をＳＤＲＡＭ１６３に書き込むためのバッファとなるビデオＣ２書き込みバッファ１６８Ｖとを有している。これらバッファ１６６Ｖ，１６８ＶおよびＣ２デコーダ１６７Ｖの部分は、通常再生時にのみ使用される。つまり、変速再生時には、Ｃ２パリティを用いたエラー訂正処理は行われない。
【０１０４】
また、ＥＣＣデコーダ１３４は、各フィールドについて、ＳＤＲＡＭ１６３に記憶されている、ビデオデータに係る３６個のＥＣＣブロックに基づいて、各マクロブロックの圧縮符号化データを出力するためのバッファとなるビデオ出力バッファ１６９Ｖを有している。この場合、ビデオ出力バッファ１６９Ｖは、デパッキングの処理を行って、各マクロブロックの圧縮符号化データを対応するシンクブロックＳｄ，Ｓｈから取得する。
【０１０５】
なお、ビデオ出力バッファ１６９Ｖは、変速再生時には、所定のマクロブロックの圧縮符号化データを得るためのシンクブロックＳｄに後シンクエラーフラグが付加されている場合には、当該所定のマクロブロックの圧縮符号化データのうち、シンクブロックＳｈから取得した圧縮符号化データに関しては、エラーフラグを付加して出力する。これにより、後段のビデオ伸長回路１３５では、エラーフラグが付加されている圧縮符号化データを誤って使用することを防止できる。
【０１０６】
また、ＥＣＣデコーダ１３４は、各フィールドについて、ＳＤＲＡＭ１６３から読み出される、オーディオデータに係る２４個のＥＣＣブロックにおける各シンクブロックのデータを、後述するオーディオＣ２デコーダ１６７Ａに供給するためのバッファとなるオーディオＣ２読み出しバッファ１６６Ａと、各フィールドについて、２４個のＥＣＣブロックにおいてＣ２パリティを用いてエラー訂正処理を行うオーディオＣ２デコーダ１６７Ａと、このＣ２デコーダ１６７Ａで訂正された２４個のＥＣＣブロックにおけるオーディオデータ、つまり１２チャネル分のオーディオデータを出力するためのバッファとなるオーディオ出力バッファ１６９Ａとを有している。
【０１０７】
この場合、Ｃ２デコーダ１６７Ａの部分は通常再生時にのみ使用される。つまり、変速再生時には、Ｃ２パリティを用いたエラー訂正処理は行われない。変速再生時には、バッファ１６６Ａから出力されるオーディオデータは、Ｃ２デコーダ１６７Ａを介して、後述するオーディオ出力バッファ１６９Ａに供給される。
【０１０８】
バッファ１６６Ａは、変速再生時には、各フィールドについて、チャネル毎に、ＳＤＲＡＭ１６３の２個のＥＣＣブロックに対応したメモリ空間に記憶されているシンクブロックのうち、選択されたシンクブロックに含まれるオーディオデータのサンプルデータのみを、順に出力する。この場合、上述したように各シンクブロックにはスキャン番号が付加されているので、このスキャン番号に基づいて、最も多くのシンクブロックが該当するスキャン番号に対応したシンクブロックが選択される。
【０１０９】
また、ＥＣＣデコーダ１３４は、変速再生時に、各フィールドについて、オーディオ出力バッファ１６９Ａから供給される各チャネルのオーディオデータに対して、上述したようにシンクブロックを選択的に使用すること等で欠落したサンプルデータを補間して出力する補間回路１７０を有している。この補間回路１７０は、少なくとも前または後の有効なサンプルデータを用いて補間を行う。例えば、直前の有効なサンプルデータをそのまま補間データとする。また例えば、前後の有効なサンプルデータを平均して補間データとする。
【０１１０】
なお、通常再生時には、この補間回路１７０は、各フィールドについて、オーディオ出力バッファ１６９Ａから供給される各チャネルのオーディオデータに対して、エラー訂正できなかったサンプルデータを補間して出力する。補間回路１７０で補間処理された後のオーディオデータは、出力オーディオデータＡｏｕｔとして出力される。
【０１１１】
図１５に示すＥＣＣデコーダ１３４の動作を説明する。最初に通常再生時の動作を説明する。
【０１１２】
復号回路１３３から供給される再生データＤＤｃは、ＳＹＮＣ検出回路１６１でシンクデータが検出され、その後にＣ１デコーダ１６２に供給される。Ｃ１デコーダ１６２では、各シンクブロックに対して、Ｃ１パリティを用いたエラー訂正処理が行われる。このＣ１デコーダ１６２からは、エラー訂正処理後のデータ列に、エラー訂正ができたか否かを示すエラー訂正フラグおよびＩＤが付加された状態で、各シンクブロックが出力される。
【０１１３】
Ｃ１デコーダ１６２から出力される各シンクブロックは、入力書き込みバッファ１６５およびＳＤＲＡＭインタフェース１６４を介して、ＳＤＲＡＭ１６３に書き込まれる。
【０１１４】
この場合、ビデオデータに係る各シンクブロックは、それに付加されているトラックＩＤおよびシンクブロックＩＤに基づいて、各フィールドについて、３６個のＥＣＣブロックに対応したメモリ空間の所定アドレス位置に書き込まれる。これにより、ＳＤＲＡＭ１６３には、各フィールドにつき、それぞれ記録時と同様の１２６個のシンクブロックからなる、３６個のＥＣＣブロックが生成される。
【０１１５】
またこの場合、オーディオデータに係る各シンクブロックは、それに付加されているトラックＩＤおよびシンクブロックＩＤに基づいて、各フィールドについて、２４個のＥＣＣブロックに対応したメモリ空間の所定アドレス位置に書き込まれる。これにより、ＳＤＲＡＭ１６３には、各フィールドにつき、それぞれ記録時と同様の１６個のシンクブロックからなる、２４個のＥＣＣブロックが生成される。
【０１１６】
また、各フィールドについて、ＳＤＲＡＭ１６３からビデオデータに係る３６個のＥＣＣブロックにおける各シンクブロックのデータが読み出され、ＳＤＲＡＭインタフェース１６４およびビデオＣ２読み出しバッファ１６６Ｖを介してビデオＣ２デコーダ１６７Ｖに供給される。Ｃ２デコーダ１６７Ｖでは、各フィールドにつき、３６個のＥＣＣブロックにおいて、Ｃ２パリティを用いてエラー訂正処理が行われる。そして、各フィールドについて、Ｃ２デコーダ１６７Ｖで訂正された３６個のＥＣＣブロックにおけるビデオデータ（圧縮符号化データ）は、ビデオＣ２書き込みバッファ１６８ＶおよびＳＤＲＡＭインタフェース１６４を介して、ＳＤＲＡＭ１６３に書き込まれる。
【０１１７】
また、各フィールドについて、ＳＤＲＡＭ１６３に記憶されているビデオデータに係る３６個のＥＣＣブロックに基づいて、各マクロブロックの圧縮符号化データが読み出され、出力バッファ１６９Ｖを介して、出力ビデオデータＶＤｄとして出力される。この場合、出力バッファ１６９Ｖでは、デパッキングの処理が行われ、各マクロブロックの圧縮符号化データが、対応するシンクブロックＳｄ，Ｓｈから取得される。
【０１１８】
また、各フィールドについて、ＳＤＲＡＭ１６３からオーディオデータに係る２４個のＥＣＣブロックにおける各シンクブロックのデータが読み出され、ＳＤＲＡＭインタフェース１６４およびオーディオＣ２読み出しバッファ１６６Ａを介してオーディオＣ２デコーダ１６７Ａに供給される。Ｃ２デコーダ１６７Ａでは、各フィールドにつき、２４個のＥＣＣブロックにおいて、Ｃ２パリティを用いてエラー訂正処理が行われる。
【０１１９】
そして、各フィールドについて、Ｃ２デコーダ１６７Ａで訂正された２４個のＥＣＣブロックにおけるオーディオデータ、つまり１２チャネル分のオーディオデータは、オーディオ出力バッファ１６９Ａを介して補間回路１７０に供給され、エラー訂正できなかったサンプルデータの補間が行われる。そして、補間回路１７０で補間処理されたオーディオデータが、出力オーディオデータＡｏｕｔとして出力される。
【０１２０】
次に、変速再生時の動作を説明する。
復号回路１３３から供給される再生データＤＤｃは、ＳＹＮＣ検出回路１６１でシンクデータが検出され、その後にＣ１デコーダ１６２に供給される。Ｃ１デコーダ１６２では、各シンクブロックに対して、Ｃ１パリティを用いたエラー訂正処理が行われる。このＣ１デコーダ１６２からは、エラー訂正処理後のデータ列に、エラー訂正ができたか否かを示すエラー訂正フラグおよびＩＤが付加された状態で、各シンクブロックが出力される。
【０１２１】
Ｃ１デコーダ１６２から出力される、各シンクブロックは、入力書き込みバッファ１６５およびＳＤＲＡＭインタフェース１６４を介して、ＳＤＲＡＭ１６３に書き込まれる。
【０１２２】
以下、最初にビデオデータに関する説明を行い、その後にオーディオデータに関する説明を行う。
【０１２３】
ビデオデータに関して説明する。Ｃ１デコーダ１６２から供給されるシンクブロックのうち、選択されたシンクブロックのみ、ＳＤＲＡＭ１６３に書き込まれる。つまり、シンクブロックＳｄに関しては、Ｃ１パリティによってエラー訂正できた場合には、書き込みシンクブロックとして選択される。また、シンクブロックＳｈに関しては、直前に再生されたシンクブロックＳｄが書き込みブロックとして選択され、当該シンクブロックＳｈが直前に再生されたシンクブロックＳｄと同一のマクロブロックに係るものであり、かつ当該シンクブロックＳｈがＣ１パリティによってエラー訂正できた場合には、書き込みシンクブロックとして選択される。
【０１２４】
この場合、各シンクブロックは、それに付加されているトラックＩＤおよびシンクブロックＩＤに基づいて、３６個のＥＣＣブロックに対応したメモリ空間の所定アドレス位置に書き込まれる。この場合、各フィールドにおいて同一のメモリ空間に書き込みが行われ、記憶データが順次更新されていく。
【０１２５】
またこの場合、シンクブロックＳｄがＳＤＲＡＭ１６３に書き込まれるが、このシンクブロックＳｄと同一のマクロブロックに係るシンクブロックＳｈがＳＤＲＡＭ１６３に書き込まれないとき、当該シンクブロックＳｄに、後シンクエラーフラグが付加されてＳＤＲＡＭ１６３に書き込まれる。
【０１２６】
また、各フィールドについて、ＳＤＲＡＭ１６３に記憶されている３６個のＥＣＣブロックに基づいて、各マクロブロックの圧縮符号化データが読み出され、ＳＤＲＡＭインタフェース１６４およびビデオ出力バッファ１６９Ｖを介して出力される。この場合、各マクロブロックの圧縮符号化データは、対応するシンクブロックＳｄ，Ｓｈから取得される。
【０１２７】
ここで、所定のマクロブロックの圧縮符号化データを得るためのシンクブロックＳｄに、後シンクエラーフラグが付加されている場合には、当該所定のマクロブロックの圧縮符号化データのうち、シンクブロックＳｈから取得した圧縮符号化データに関しては、エラーフラグが付加されて出力される。この場合、ＳＤＲＡＭ１６３上でシンクブロックＳｄとペアであるシンクブロックＳｈには、実際には同一のマクロブロックに係る圧縮符号化データが含まれていない。これにより、後段のビデオ伸長回路１３５では、エラーフラグが付加されている圧縮符号化データを誤って使用することを防止でき、他のブロックの圧縮符号化データが混じることによる画質の劣化を防止できる。
【０１２８】
オーディオデータに関して説明する。Ｃ１デコーダ１６２から供給されるシンクブロックのうち、Ｃ１パリティによってエラー訂正できたシンクブロックがＳＤＲＡＭ１６３に書き込まれる。この場合、ＳＤＲＡＭ１６３に書き込まれるシンクブロックには、当該シンクブロックが上述の３回のスキャンのうちの何番目のスキャンによって再生されたものであるかを示すスキャン番号が付加される。
【０１２９】
この場合、各シンクブロックは、それに付加されているトラックＩＤおよびシンクブロックＩＤに基づいて、２４個のＥＣＣブロックに対応したメモリ空間の所定アドレス位置に書き込まれる。この場合、各フィールドにおいて、異なるメモリ空間に書き込みが行われ、また使用後のフィールドのメモリ空間はクリアされる。これにより、所定フィールドに対応した２４個のＥＣＣブロックに対応したメモリ空間には、当該所定フィールドで再生されるシンクブロックのみが書き込まれる。
【０１３０】
また、Ｃ２読み出しバッファ１６６Ａからは、各フィールドについて、チャネル毎に、ＳＤＲＡＭ１６３の２個のＥＣＣブロックに対応したメモリ空間に記憶されているシンクブロックのうち、最も多くのシンクブロックが該当するスキャン番号に対応したシンクブロックが選択され、このシンクブロックにのみ含まれるオーディオデータのサンプルデータが順に出力される。
【０１３１】
このように、各フィールドについて、バッファ１６６Ａからチャネル毎に出力されるオーディオデータのサンプルデータは、オーディオＣ２デコーダ１６７Ａおよびオーディオ出力バッファ１６９Ａを介して補間回路１７０に供給される。補間回路１７０では、各チャネルのオーディオデータに対して、上述したようにシンクブロックを選択的に使用すること等で欠落したサンプルデータの補間が行われる。そして、補間回路１７０で補間処理された後のオーディオデータが、出力オーディオデータＡｏｕｔとして出力される。
【０１３２】
以上説明したように、本実施の形態においては、変速再生時には、各フィールドについて、再生ヘッドＨｐの３回のスキャンで再生されたオーディオデータに係るシンクブロックのうち、最も多くのシンクブロックが該当するスキャン番号に対応したシンクブロックを使用すると共に、欠落したサンプルデータを少なくとも前または後の有効なサンプルデータを用いて補間するものである。したがって、１フィールド分のオーディオデータに、異なるフィールドのサンプルデータが混じる可能性を低くでき、変速再生時に、異なる所定時間分のサンプルデータが混じることによる、音質の劣化を抑制できる。
【０１３３】
図１７は、変速再生時の１フィールド分の再生例を示している。この図１７において、矢印ＳＣＮは、再生ヘッドＨｐの走査軌跡を示している。また、この図１７において、ＳＰは、トラッキングサーボ用のサーボパイロットを示している。
【０１３４】
この例においては、０チャネルのオーディオデータが含まれるブロック０およびブロック１２のＥＣＣブロックの前半部のシンクブロックが記録される、第１および第２のフィールドの記録部Ａ１（０−１２Ｆ）が、Ｓ１，Ｓ２のサークルで示すように、１スキャン目および２スキャン目でスキャンされる。
【０１３５】
この場合、例えば図１８に示すように、前半部のシンクブロックが記録される記録部Ａ１（０−１２Ｆ）からは、第１のフィールドのシンクブロック（破線部）および第２のフィールドのシンクブロック（実線部）が再生され、後半部のシンクブロックが記録される記録部Ａ１（０−１２Ｂ）からは、第２のフィールドのシンクブロックのみが再生される。
【０１３６】
この場合、図１９に示すように、ブロック０のＥＣＣブロックにおけるサンプルデータは、第１のフィールドおよび第２のフィールドのサンプルデータから構成され、ブロック１２のＥＣＣブロックにおけるサンプルデータは、第２のフィールドのサンプルデータのみからなる。図１９においては、第１のフィールドのサンプルデータを斜体で示している。
【０１３７】
このように、ブロック０およびブロック１２のＥＣＣブロックにおけるサンプルデータを全て使用するものとすると、出力オーディオデータＡｏｕｔは、例えば図２０Ａに示すようになる。この図２０Ａにおいて、「△」は第１のフィールドのサンプルデータのレベルを示し、「○」は第２のフィールドのサンプルデータのレベルを示している。この場合、異なるフィールドのサンプルデータが混じり合ったものとなるので、出力オーディオデータＡｏｕｔによる音声の音質は劣化したものとなる。
【０１３８】
これに対して、上述した実施の形態のように、最も多くのシンクブロックが該当するスキャン番号に対応したシンクブロックを使用するものとすれば、２スキャン目に再生された第２のフィールドのサンプルデータのみが使用され、欠落したサンプルデータは、その第２のフィールドのサンプルデータから補間される。この場合の出力オーディオデータＡｏｕｔは、例えば図２０Ｂに示すようになる。この図２０Ｂにおいて、「○」は第２のフィールドのサンプルデータのレベルを示し、「×」は前後の第２のサンプルデータから補間されたサンプルデータのレベルを示している。この場合、第２のフィールドのサンプルデータのみからなるので、出力オーディオデータＡｏｕｔによる音声の音質は向上する。
【０１３９】
なお、上述実施の形態においては、変速再生時には、各フィールドについて、再生ヘッドＨｐの３回のスキャンで再生されたオーディオデータに係るシンクブロックのうち、最も多くのシンクブロックが該当するスキャン番号に対応したシンクブロックを使用するものを示した。
【０１４０】
最も多くのシンクブロックが該当するスキャン番号に対応したシンクブロックを使用する代わりに、最も多くのシンクブロックが該当するスキャン番号およびセグメント番号の組み合わせに対応したシンクブロックを使用するようにしてもよい。この場合も、１フィールド分のオーディオデータに異なるフィールドのサンプルデータが混じる可能性を低くでき、音質の劣化を抑制できる。
【０１４１】
この場合、最も多くのシンクブロックが該当するセグメント番号に対応したシンクブロックを使用することも考えられる。その場合、１フィールド内の３回のスキャンのうち最初と最後のスキャンにおけるテープ上のスキャン位置の長手方向の間隔Ｄａが、セグメント番号の周期である４フィールド分のシンクブロックが記録された複数本の傾斜トラックが占めるテープ上の長手方向の距離Ｄｂを越えるとき、各フィールドに再生されるシンクブロックで、同一のセグメント番号に該当するシンクブロックに、異なるフィールドのシンクブロックが存在するおそれがある。上述したように、セグメント番号とスキャン番号の組み合わせで判断することで、使用するシンクブロックに異なるフィールドのシンクブロックが存在する可能性を低くできる。図２１は、間隔Ｄａおよび距離Ｄｂの概要を示している。
【０１４２】
また、最も多くのシンクブロックが該当するスキャン番号に対応したシンクブロックを使用する代わりに、Ｄａ＞Ｄｂである場合には、最も多くのシンクブロックが該当するスキャン番号およびセグメント番号の組み合わせに対応したシンクブロックを使用し、Ｄａ≦Ｄｂである場合には、最も多くのシンクブロックが該当するセグメント番号に対応したシンクブロックを使用するようにしてもよい。
【０１４３】
Ｄａ≦Ｄｂである場合には、各フィールドに再生されるシンクブロックで、同一のセグメント番号に該当するシンクブロックに、異なるフィールドのシンクブロックが存在するおそれはなく、セグメント番号のみで判断しても問題はない。この場合、使用できるシンクブロックの数を多くでき、補間されるサンプルデータの個数を少なくでき、音質の向上を図ることができる。
【０１４４】
また、上述実施の形態においては、所定時間分が１フィールド分であるものを示しているが、これに限定されるものではない。例えば、所定時間分が複数フィールド分であってもよい。
【０１４５】
また、上述実施の形態においては、所定時間、例えば１フィールドの間に３回スキャンするものを示しているが、２回あるいは４回以上スキャンするものであってもよい。
【０１４６】
また、上述実施の形態においては、シンクブロックには４フィールド分を周期として各フィールド分を識別するセグメント番号が付加されるが、この周期は４フィールド分に限定されるものではない。
【０１４７】
【発明の効果】
この発明によれば、各所定時間分のオーディオデータに対応した複数のシンクブロックが一本または複数本の傾斜トラックに記録されたテープ上を、再生ヘッドが所定時間毎にＮ回（Ｎは２以上の整数）スキャンし、各所定時間に再生されたシンクブロックに基づいてそれぞれ所定時間分のオーディオデータを得るものにあって、変速再生時には、各所定時間につき、再生ヘッドのＮ回のスキャンでそれぞれ再生された第１から第Ｎのスキャン番号に対応したシンクブロックのうち、最も多くのシンクブロックが該当するスキャン番号に対応したシンクブロックを使用すると共に、欠落したサンプルデータを少なくとも前または後の有効なサンプルデータを用いて補間し、所定時間分のオーディオデータを得るものであり、異なる所定時間分のサンプルデータが混じることによる音質の劣化を抑制することができる。
【０１４８】
また、この発明によれば、シンクブロックに、複数個の所定時間分を周期として、各所定時間分を識別するセグメント番号が付加されている場合、最も多くのシンクブロックが該当するスキャン番号およびセグメント番号の組み合わせに対応したシンクブロックを使用するものであり、所定時間内のＮ回のスキャンのうち最初と最後のスキャンにおけるテープ上のスキャン位置の長手方向の間隔Ｄａが、複数個の所定時間分のシンクブロックが記録された複数本の傾斜トラックが占めるテープ上の長手方向の距離Ｄｂを越えるとき、使用するシンクブロックに異なる所定時間分のシンクブロックが存在する可能性を低くでき、異なる所定時間分のサンプルデータが混じることによる音質の劣化を抑制することができる。
【０１４９】
また、この発明によれば、シンクブロックに、複数個の所定時間分を周期として、各所定時間分を識別するセグメント番号が付加されている場合、Ｄａ＞Ｄｂである場合には、最も多くのシンクブロックが該当するスキャン番号およびセグメント番号の組み合わせに対応したシンクブロックを使用し、Ｄａ≦Ｄｂである場合には、最も多くのシンクブロックが該当するセグメント番号に対応したシンクブロックを使用するものであり、Ｄａ≦Ｄｂである場合に、使用できるシンクブロックの数を多くでき、補間すべきサンプルデータの個数を少なくでき、音質の向上を図ることができる。
【図面の簡単な説明】
【図１】実施の形態としての記録再生装置の構成を示すブロック図である。
【図２】記録フォーマットを説明するための図である。
【図３】磁気ヘッドの配置を説明するための図である。
【図４】ビデオデータのＥＣＣブロックの構成を示す図である。
【図５】ビデオデータの１シンクブロックの構成を示す図である。
【図６】１２トラック内のシンクブロック（ビデオデータ）の配置を説明するための図である。
【図７】Ｃ２パリティの配置を示す図である。
【図８】オーディオデータのＥＣＣブロックの構成を示すブロック図である。
【図９】オーディオデータの１シンクブロックの構成を示す図である。
【図１０】ブロックＮおよびブロックＮ＋１２のＥＣＣブロックに配される、オーディオデータのサンプルデータを示す図である。
【図１１】１２トラック内のシンクブロック（オーディオデータ）の配置を説明するための図である。
【図１２】ＥＣＣエンコーダの構成を示すブロック図である。
【図１３】マクロブロックとシンクブロック（ビデオデータ）との関係を説明するための図である。
【図１４】同一マクロブロックに係る２シンクブロックの配置を示す図である。
【図１５】ＥＣＣデコーダの構成を示すブロック図である。
【図１６】書き込みシンクブロックの選択処理の手順を示すフローチャートである。
【図１７】変速再生時の１フィールド分の再生例を示す図である。
【図１８】異なるフィールドのシンクブロックが再生される場合（トラック上）を示す図である。
【図１９】異なるフィールドのシンクブロックが再生される場合（ＥＣＣブロック上）を示す図である。
【図２０】出力オーディオデータを説明するための図である。
【図２１】１フィールド内の３回のスキャンのうち最初と最後のスキャンにおけるテープ上のスキャン位置の長手方向の間隔Ｄａおよびセグメント番号の周期である４フィールド分のシンクブロックが記録された複数本の傾斜トラックが占めるテープ上の長手方向の距離Ｄｂの概要を示す図である。
【符号の説明】
１００・・・記録再生装置、１１１Ｖ，１１１Ａ・・・入力端子、１１２・・・ビデオ圧縮回路、１１３・・・ＥＣＣエンコーダ、１１４・・・記録アンプ、１２０・・・磁気テープ、１３１・・・再生アンプ、１３２・・・等化回路、１３３・・・復号回路、１３４・・・ＥＣＣデコーダ、１３５・・・ビデオ伸長回路、１３６Ｖ，１３６Ａ・・・出力端子、１４０・・・回転ドラム、１５１・・・ＳＤＲＡＭ、１５２・・・ＳＤＲＡＭインタフェース、１５３Ｖ・・・ビデオ入力書き込みバッファ、１５３Ａ・・・オーディオ入力バッファ、１５４Ｖ・・・ビデオＣ２読み出しバッファ、１５５Ｖ・・・ビデオＣ２エンコーダ、１５５Ａ・・・オーディオＣ２エンコーダ、１５６Ｖ・・・ビデオＣ２書き込みバッファ、１５６Ａ・・・オーディオＣ２書き込みバッファ、１５７・・・出力バッファ、１５８・・・ＳＹＮＣ・ＩＤ付加回路、１５９・・・Ｃ１エンコーダ、１６１・・・ＳＹＮＣ検出回路、１６２・・・Ｃ１デコーダ、１６３・・・ＳＤＲＡＭ、１６４・・・ＳＤＲＡＭインタフェース、１６５・・・入力書き込みバッファ、１６６Ｖ・・・ビデオＣ２読み出しバッファ、１６６Ａ・・・オーディオＣ２読み出しバッファ、１６７Ｖ・・・ビデオＣ２デコーダ、１６７Ａ・・・オーディオＣ２デコーダ、１６８Ｖ・・・ビデオＣ２書き込みバッファ、１６９Ｖ・・・ビデオ出力バッファ、１６９Ａ・・・オーディオ出力バッファ、１７０・・・補間回路
【図１】
2004310859.tif 000003
【図２】
2004310859.tif 000004
【図３】
2004310859.tif 000005
【図４】
2004310859.tif 000006
【図５】
2004310859.tif 000007
【図６】
2004310859.tif 000008
【図７】
2004310859.tif 000009
【図８】
2004310859.tif 000010
【図９】
2004310859.tif 000011
【図１０】
2004310859.tif 000012
【図１１】
2004310859.tif 000013
【図１２】
2004310859.tif 000014
【図１３】
2004310859.tif 000015
【図１４】
2004310859.tif 000016
【図１５】
2004310859.tif 000017
【図１６】
2004310859.tif 000018
【図１７】
2004310859.tif 000019
【図１８】
2004310859.tif 000020
【図１９】
2004310859.tif 000021
【図２０】
2004310859.tif 000022
【図２１】
2004310859.tif 000023